(57)【要約】【課題】再生樹脂を使用した繊維製品に対しても、優れた洗浄性、再汚染防止性を発揮する繊維製品用洗浄剤を提供する。【解決手段】下記式（１）で表される非イオン界面活性剤を含有する繊維製品用洗浄剤である。好ましくは、該非イオン界面活性剤と、他の非イオン界面活性剤とを併用することであり、更には、無機アルカリ剤を配合することである。    Ｒ１Ｏ（Ａ１Ｏ）ｍＨ  …（１）（式中、Ｒ１は、炭素数６〜１８の炭化水素基であって芳香族環を１個以上含むものを示す。Ａ１Ｏは、オキシエチレン基又はオキシプロピレン基を示し、これらは１種単独でも２種併用されてもよい。ｍは、平均付加モル数を表し、５〜２０である。）【選択図】なし【特許請求の範囲】
【請求項１】
下記一般式（１）で表される非イオン界面活性剤を含有する繊維製品用洗浄剤。
Ｒ１Ｏ（Ａ１Ｏ）ｍＨ  …（１）
（式中、Ｒ１は、炭素数６〜１８の炭化水素基であって芳香族環を１個以上含むものを示す。Ａ１Ｏは、オキシエチレン基又はオキシプロピレン基を示し、これらは１種単独でも２種併用されてもよい。ｍは、平均付加モル数を表し、５〜２０である。）
【請求項２】
上記一般式（１）で表される第１の非イオン界面活性剤と、下記一般式（２）で表される第２の非イオン界面活性剤とを含有し、両者の合計量１００重量部に対して、前記第１の非イオン界面活性剤を１〜９９重量部含有することを特徴とする請求項１記載の繊維製品用洗浄剤。
Ｒ２Ｏ（Ａ２Ｏ）ｎＨ  …（２）
（式中、Ｒ２は、炭素数６〜１４のアルキル基又はアルケニル基を示す。Ａ２Ｏは、オキシエチレン基又はオキシプロピレン基を示し、これらは１種単独でも２種併用されてもよい。ｎは、平均付加モル数を表し、１〜２０である。）
【請求項３】
無機アルカリ剤を更に含有する請求項１又は２記載の繊維製品用洗浄剤。
【発明の詳細な説明】
【技術分野】
【０００１】
本発明は繊維製品用洗浄剤に関するものであり、特に衣料やダストコントロール製品の洗浄に好適な洗浄剤に関するものである。
【背景技術】
【０００２】
従来、衣料やダストコントロール製品などの繊維製品のための洗浄剤において、ポリオキシエチレンアルキルエーテル系の非イオン界面活性剤が用いられることがある。ここで、ダストコントロール製品とは、一般に、ダストコントロール業者から顧客に貸し出され、使用後に顧客から回収され、洗浄した後に再び新品として貸し出されるモップやマットなどの製品である。かかるダストコントロール製品は、吸着剤としてのオイルが付与された製品表面のパイルで、ホコリや汚れを捕捉するものであり、上記の洗浄後に、オイルを付着させて、製品化される。そのため、回収後の洗浄時には、汚れとオイルの両方を除去することが求められている。
【０００３】
例えば、下記特許文献１には、リネン業やダストコントロール業に用いられる洗浄剤として、無機アルカリ剤、オキシエチレン基とオキシプロピレン基を含有する非イオン界面活性剤、特定のエーテル化合物、及び水を含有するものが開示されている。しかしながら、上記非イオン界面活性剤は、アルキル基又はアルケニル基を有するアルコールにエチレンオキサイドやプロピレンオキサイドを付加したものであり、スチレン化フェノールのエチレンオキサイド付加物からなる非イオン界面活性剤については開示されていない。また、上記特定のエーテル化合物として、トリエチレングリコールモノフェニルエーテルのようにフェニル基を含有するものも開示されているが、エチレンオキサイドの付加モル数が１〜３のものであり、非イオン界面活性剤として作用するものではない。
【０００４】
このように従来、衣料用などの繊維製品の洗浄剤に用いられるエチレンオキサイド付加型のエーテル系非イオン界面活性剤としては、アルキル基又はアルケニル基を有するアルコールをベースとしたものが主として用いられており、スチレン化フェノールのように芳香族環を有するものをベースとしたものは繊維製品の洗浄には用いられていなかった。なお、スチレン化フェノールのエチレンオキサイド付加物からなる非イオン界面活性剤は、従来、金属のような硬質表面の洗浄用途としては知られていたが（下記特許文献２，３参照）、洗浄対象の相違から、それを衣料などの繊維製品の洗浄に用いることは考えられていなかった。
【特許文献１】特開２００４−２４４５９１号公報
【特許文献２】特開平０８−１０８１５３号公報
【特許文献３】特開平１０−１３０６９１号公報
【発明の開示】
【発明が解決しようとする課題】
【０００５】
近年、ポリエチレンテレフタレートなどの再生樹脂を利用した繊維製品が増加しているが、それに適した洗浄剤はなく、既存の洗浄剤を組み合わせて用いている。しかしながら、素材の違いのため、従来の洗浄剤の能力では十分ではなく、洗浄性、再汚染性に問題がある。
【０００６】
本発明は、以上の点に鑑みてなされたものであり、再生樹脂を使用した繊維製品に対しても、優れた洗浄性、再汚染防止性を発揮する繊維製品用洗浄剤を提供することを目的とする。
【課題を解決するための手段】
【０００７】
本発明に係る繊維製品用洗浄剤は、下記一般式（１）で表される非イオン界面活性剤を含有するものである。
【０００８】
Ｒ１Ｏ（Ａ１Ｏ）ｍＨ  …（１）
式中、Ｒ１は、炭素数６〜１８の炭化水素基であって芳香族環を１個以上含むものを示す。Ａ１Ｏは、オキシエチレン基又はオキシプロピレン基を示し、これらは１種単独でも２種併用されてもよい。ｍは、平均付加モル数を表し、５〜２０である。
【０００９】
本発明に係る繊維製品用洗浄剤においては、上記一般式（１）で表される第１の非イオン界面活性剤と、下記一般式（２）で表される第２の非イオン界面活性剤とを含有し、両者の合計量１００重量部に対して、前記第１の非イオン界面活性剤を１〜９９重量部含有することが好ましい。
【００１０】
Ｒ２Ｏ（Ａ２Ｏ）ｎＨ  …（２）
式中、Ｒ２は、炭素数６〜１４のアルキル基又はアルケニル基を示す。Ａ２Ｏは、オキシエチレン基又はオキシプロピレン基を示し、これらは１種単独でも２種併用されてもよい。ｎは、平均付加モル数を表し、１〜２０である。
【００１１】
また、本発明に係る繊維製品用洗浄剤においては、無機アルカリ剤を更に含有することが好ましい。
【発明の効果】
【００１２】
本発明に係る洗浄剤であると、再生樹脂を使用した繊維製品に対しても、また、従来の繊維製品に対しても、優れた洗浄性と再汚染防止性を発揮することができ、衣料やダストコントロール製品の洗浄に好適に用いることができる。
【発明を実施するための最良の形態】
【００１３】
以下、本発明の実施に関連する事項について詳細に説明する。
【００１４】
（第１の非イオン界面活性剤）
上記一般式（１）で表される第１の非イオン界面活性剤としては、フェノール、アルキルフェノール、スチレン化フェノール、ベンジル化フェノール、クレゾール、ベンジルアルコールのエチレンオキサイド（以下、ＥＯと表記する。）やプロピレンオキサイド（以下、ＰＯと表記する。）付加物が挙げられる。
【００１５】
式（１）中のＲ１は、炭素数６〜１８の炭化水素基であって芳香族環を１個以上含むものであり、該炭化水素基の炭素数が１８より大きいと、洗浄性、再汚染防止性ともに低下する。好ましくは、芳香族環を２個含むものであり、特には、Ｒ１はモノ−スチレン化フェニル基であることが好ましい。
【００１６】
ＥＯやＰＯの平均付加モル数であるｍは５〜２０であり、ｍが５より小さいと、再生樹脂を使用した繊維製品に対する洗浄効果が不十分となる。逆にｍが大きすぎると、油汚れに対する洗浄性が低下する。より好ましくは、ｍは６〜１５である。
【００１７】
ＥＯとＰＯの付加は、それぞれ単独（即ち、ＥＯ単独又はＰＯ単独）でもよく、ＥＯとＰＯを併用してもよく、併用の場合、ＥＯ及びＰＯの付加はランダム付加でもブロック付加でもよい。好ましくは、ＥＯ単独での付加、又は、ＥＯとＰＯを併用して付加することである。
【００１８】
（第２の非イオン界面活性剤）
上記一般式（２）で表される第２の非イオン界面活性剤は、飽和又は不飽和アルコールにＥＯ及び／又はＰＯを付加させて得られるポリオキシアルキレンアルキル（又はアルケニル）エーテル化合物である。
【００１９】
式（２）中のＲ２は、炭素数６〜１４のアルキル基又はアルケニル基であり、炭素数がこれより小さいと、洗浄性は維持されるが、再汚染防止性が低下し、逆に大きいと、洗浄性が低下する。
【００２０】
ＥＯやＰＯの平均付加モル数であるｎは１〜２０であり、ｍが２０より大きいと、再汚染防止性は維持されるが、洗浄性が低下する。より好ましくは、ｎは５〜２０である。
【００２１】
ＥＯとＰＯの付加は、それぞれ単独（即ち、ＥＯ単独又はＰＯ単独）でもよく、ＥＯとＰＯを併用してもよく、併用の場合、ＥＯ及びＰＯの付加はランダム付加でもブロック付加でもよい。好ましくは、ＥＯ単独での付加、又は、ＥＯとＰＯを併用して付加することである。
【００２２】
（無機アルカリ剤）
前記無機アルカリ剤としては、トリポリリン酸塩、ピロリン酸塩、ポリリン酸塩、ヘキサメタリン酸塩、オルソリン酸塩、テトラリン酸塩等の無機系リン酸塩、オルソ珪酸塩、メタ珪酸塩、セスキ珪酸塩等の結晶性珪酸塩、炭酸塩、炭酸水素塩等が挙げられ、これらはそれぞれ単独で用いても、２種以上併用してもよい。塩としては、ナトリウム塩、カリウム塩などのアルカリ金属塩やアルカールアミン塩が挙げられる。
【００２３】
より詳細には、トリポリリン酸ナトリウム（Ｎａ５Ｐ３Ｏ１０）、ピロリン酸ナトリウム（Ｎａ４Ｐ２Ｏ７）、ポリリン酸ナトリウム（Ｎａ４Ｐ４Ｏ１２）、ヘキサメタリン酸ナトリウム（（ＮａＰＯ３）６）、オルソ珪酸ナトリウム（Ｎａ４ＳｉＯ４）、メタ珪酸ナトリウム（Ｎａ２ＳｉＯ３）、セスキ珪酸ナトリウム（Ｎａ６Ｓｉ２Ｏ７）、炭酸カリウム、炭酸ナトリウム等が好ましいものとして挙げられる。これらは水和物であってもよい。
【００２４】
（繊維製品用洗浄剤）
本発明の洗浄剤は、上記第１の非イオン界面活性剤を含むものであり、該第１の非イオン界面活性剤とともに、上記第２の非イオン界面活性剤を含有してもよい。第２の非イオン界面活性剤を配合することにより、両者の相乗効果で洗浄性、再汚染防止性がともに向上する。第２の非イオン界面活性剤を含有する場合、第１の非イオン界面活性剤と第２の非イオン界面活性剤の合計量を１００重量部として、第１の非イオン界面活性剤が１〜９９重量部であることが好ましく、より好ましくは２０〜８０重量部であり、更に好ましくは３０〜７０重量部である。
【００２５】
本発明の洗浄剤には、更に無機アルカリ剤を配合することが好ましい。無機アルカリ剤を配合することにより、洗浄性が向上し、さらに汚れ成分の再付着、再汚染防止性が向上する。無機アルカリ剤を配合する場合、非イオン界面活性剤と無機アルカリ剤との合計量を１００重量部として、無機アルカリ剤が４０〜９０重量部であることが好ましく、より好ましくは６０〜８０重量部である。
【００２６】
本発明の洗浄剤は、粉末状でもよく、また、水に溶解させた液状でもよい。
【００２７】
本発明の洗浄剤には、上記各成分に加え、本発明の効果を損なわない範囲内で、必要に応じて、例えば、アニオン界面活性剤、石鹸、再汚染防止剤、酵素、金属封止剤、消泡剤、蛍光増白剤、抗菌剤など、一般に繊維製品用洗浄剤に用いられる他の成分を配合してもよい。
【００２８】
上記アニオン界面活性剤としては、例えば、α−オレフィンスルホン酸塩、アルキルベンゼンスルホン酸塩、パラフィンスルホン酸塩、α−スルホ脂肪酸塩、α−スルホ脂肪酸アルキルエステル塩、高級アルコール硫酸エステル塩、ポリオキシエチレンアルキル（又はアルケニル）エーテル硫酸エステル塩などが挙げられる。塩としては、ナトリウム塩、カリウム塩、マグネシウム塩などの金属塩、トリエタノールアミン塩などが挙げられる。
【００２９】
本発明の洗浄剤は、上記一般式（１）で示す特殊な非イオン界面活性剤を含むため、ポリエチレンテレフタレートやポリエチレン等の再生樹脂を用いた繊維製品に対して、優れた洗浄性と再汚染防止性を発揮することができる。また、従来の素材からなる繊維製品に対しても優れた効果を発揮することができる。また、上記一般式（２）で示す他の非イオン界面活性剤と併用することにより、洗浄性、再汚染防止性に相乗効果が得られる。また、オイルの乳化と汚れの除去の両方の性能を有しているため、衣料用はもちろん、モップやマットなどのダストコントロール製品の洗浄にも用いることができる。
【００３０】
本発明の洗浄剤を用いた洗浄は、該洗浄剤を水に溶解させて、得られた水溶液中に被洗物を投入し撹拌することで行われる。その際、水溶液中における洗浄剤の濃度（洗浄剤濃度）は、特に限定されないが、０．１〜１０重量％であることが好ましい。
【実施例】
【００３１】
以下、本発明を実施例により具体的に説明するが、本発明の範囲はこれに限定されるものではない。
【００３２】
下記表１及び表２に示す配合に従い、各成分を混合して、実施例及び比較例の洗浄剤を調製した。
【００３３】
表中の各成分の詳細は、以下の通りである。
【００３４】
（第１の非イオン界面活性剤）
・非イオン界面活性剤１−１：スチレン化フェノールにＥＯを７モル付加した化合物、
・非イオン界面活性剤１−２：スチレン化フェノールにＥＯ７モルとＰＯ３モルをランダムに付加した化合物、
・非イオン界面活性剤１−３：スチレン化フェノールにＥＯを１２モル付加した化合物、
・非イオン界面活性剤１−４：スチレン化フェノールにＥＯ１１モルとＰＯ４モルをランダムに付加した化合物、
・非イオン界面活性剤１−５：スチレン化フェノールにＥＯ１３モルとＰＯ５モルをランダムに付加した化合物、
・非イオン界面活性剤１−６：フェノールにＥＯを１２モル付加した化合物、
・非イオン界面活性剤１−７：ドデシルフェノールにＥＯを１２モル付加した化合物、
（第２の非イオン界面活性剤）
・非イオン界面活性剤２−１：ラウリルアルコールにＥＯ５モルとＰＯ２モルをランダムに付加した化合物、
・非イオン界面活性剤２−２：トリデシルアルコールにＥＯ８モルとＰＯ２モルをランダムに付加した化合物、
・非イオン界面活性剤２−３：デシルアルコールにＥＯ９モルとＰＯ３モルをランダムに付加した化合物、
・非イオン界面活性剤２−４：ラウリルアルコールにＥＯ１２モルとＰＯ３モルをランダムに付加した化合物、
・非イオン界面活性剤２−５：ラウリルアルコールにＥＯを５モル付加した化合物。
【００３５】
（その他の非イオン界面活性剤）
・非イオン界面活性剤３−１：スチレン化フェノールにＥＯを３モル付加した化合物、
・非イオン界面活性剤３−２：スチレン化フェノールにＥＯを１モル付加した化合物、
・非イオン界面活性剤３−３：スチレン化フェノールにＥＯを２４モル付加した化合物、
・非イオン界面活性剤３−４：トリドデシルフェノールにＥＯを１２モル付加した化合物。
【００３６】
（無機アルカリ剤）
・炭酸塩：炭酸ナトリウム、
・珪酸塩：メタケイ酸ナトリウム・９水塩、
・リン酸塩：トリポリリン酸ナトリウム。
【００３７】
得られた各洗浄剤について、洗浄率（洗浄性）と、再汚染率（再汚染防止性）を下記方法により測定して評価した。結果を表１、表２に示す。
【００３８】
（洗浄率）
８ｃｍ×８ｃｍのポリエステル生地（ペットボルトから再生したポリエステル繊維（帝人株式会社製「エコペット」）を用いた織物）、及び、ナイロン生地（デュポン株式会社製）に、織物汚染機を用いて、ダスト３ｇ及び鉱物油３ｇを付着させたものを、汚染布として用いた。該汚染布を、洗浄試験機としてターゴトメーターを用いて、１００ｒｐｍ、５０℃、１０分間、浴比（汚染布／水）＝１／３３の洗浄条件にて、洗浄試験を行った。洗浄剤濃度は０．１重量％とした。
【００３９】
洗浄率は、未汚染布及び洗浄前後の反射率を、東京電色株式会社製の色差計「ＴＣ−１５００ＳＸ」を用いて測定し、次式によって算出した。 
洗浄率（％）＝｛（洗浄後の反射率−洗浄前の反射率）／（未汚染布の反射率−洗浄前の反射率）｝×１００
評価は、汚染布３枚の洗浄率の平均値を求め、洗浄率が５０％以上のものを「◎」、２０％以上５０％未満のものを「○」、１０％以上２０％未満のものを「△」、１０％未満のものを「×」とした。
【００４０】
（再汚染率）
再汚染率は、上記洗浄率の洗浄試験の際に白布（未汚染布）を同時に投入し、洗浄試験前後の白布の反射率を、東京電色株式会社製の色差計「ＴＣ−１５００ＳＸ」を用いて測定し、次式によって算出した。 
再汚染率（％）＝｛（洗浄前の白布の反射率−洗浄後の白布の反射率）／（洗浄前の白布の反射率）｝×１００
評価は、白布３枚の再汚染率の平均値を求め、再汚染率が１０％未満のものを「◎」、１０％以上２０％未満のものを「○」、２０％以上３０％未満のものを「△」、３０％以上のものを「×」とした。
【表１】
2008075211.tif 000002
【表２】
2008075211.tif 000003
【００４１】
上記表に示すように、実施例の洗浄剤は、再生樹脂を使用したポリエステル生地に対しても、従来の繊維製品であるナイロン生地に対しても、洗浄性、再汚染防止性に優れていた。特に、実施例３〜６では、第２の非イオン界面活性剤を併用し、更に無機アルカリ剤を併用することにより、より優れた効果が奏されていた。
【００４２】
これに対し、比較例１〜３では、非イオン界面活性剤として、上記一般式（１）においてＥＯの付加モル数ｍが規定範囲より少ないものを用いたため、洗浄性に劣っていた。また、比較例４，５では、上記一般式（２）で示される第２の非イオン界面活性剤は配合しているものの、第１の非イオン界面活性剤を配合していないため、洗浄性に劣っていた。また、比較例６，７では、非イオン界面活性剤として、上記一般式（１）においてＥＯの付加モル数ｍが規定範囲よりも多いものを用いたため、洗浄性、再汚染防止性がともに劣っていた。また、比較例８，９では、非イオン界面活性剤として、上記一般式（１）においてＲ１の炭素数が規定範囲よりも大きいものを用いたため、洗浄性、再汚染防止性がともに劣っていた。
【産業上の利用可能性】
【００４３】
本発明の繊維製品用洗浄剤は、再生樹脂を使用した繊維製品を始めとした各種繊維製品の洗浄に用いることができ、特に、衣料用洗剤や、ダストコントロール用洗剤として好適に用いることができる。